(57)【要約】【課題】  従来使用されている工事用ロープと呼ばれている長尺の発光標示体に代わって視認性並びに取り扱いに優れた長尺の発光標示体を提供する。【解決手段】  複数の発光ダイオード３１が並設してなる列状光源３が長尺のシート状を呈する帯体２に長さ方向に間隔を有して具備されているとともに、帯体２には長さ方向の両端にわたって列状光源３に電源を供給するための電源コード４が配設されており、且つ帯体２の電源コード４と列状光源３との間に各列状光源３を点滅させる制御部が備えられている。【選択図】      図１
2006028895.tif 000002
【特許請求の範囲】
【請求項１】
複数の発光ダイオードが並設してなる列状光源が長尺のシート状を呈する帯体に長さ方向に間隔を有して具備されているとともに、前記帯体には長さ方向の両端にわたって前記列状光源に電源を供給するための電源コードが配設されており、且つ前記帯体の電源コードと列状光源との間に前記各列状光源を点滅させる制御部が備えられていることを特徴とする発光標示体。
【請求項２】
前記帯体が再帰反射材により形成されている請求項１記載の発光標示体。
【請求項３】
前記列状光源が帯体の長さ方向の軸線に対して交叉する方向に発光ダイオードが配列されている請求項１または２記載の発光標示体。
【請求項４】
前記列状光源が帯体の両面に配置されているとともに少なくとも一方だけを点滅させることができるスイッチを有している請求項１，２または３記載の発光標示体。
【請求項５】
前記帯体の長さ方向の両端縁または幅方向の両端縁の少なくとも一方に互いに着脱自由な係着具が設けられているとともに電源コードの一端に防水電源プラグが接続され、もう一端に前記電源プラグが差し込み可能な防水コネクタプラグがそれぞれ具備されている請求項１，２，３または４記載の発光標示体。
【請求項６】
前記帯体が２枚のシートを重ね合わせて形成されている請求項１，２，３，４または５記載の発光標示体。
【請求項７】
前記列状光源を形成する発光ダイオードが可撓性基板に設置されている請求項１，２，３，４，５または６記載の発光標示体。
【請求項８】
前記各列状光源全体または各列状光源を形成する各発光ダイオードの少なくとも一方が順次点滅する請求項１，２，３，４，５，６または７記載の発光標示体。
【発明の詳細な説明】
【技術分野】
【０００１】
本発明は、例えば車両や歩行者が通行する道路などにおいて夜間における工事箇所などを標示するための発光標示体に関するものである。
【背景技術】
【０００２】
従来、道路などの工事をする際に、夜間における車両や歩行者の安全を図る目的で各種の発光標示体が用いられている。
【０００３】
そして、比較的長い距離にわたって工事区間や危険箇所を標示する場合に、所謂、工事用ロープと称される発光標示体が用いられている。
【０００４】
この工事用ロープは、例えば実開昭６３−８８８９０号公報、特開平６−１０３２０号公報に提示されているように、透光性と可撓性とを有する合成樹脂製のチューブ内に電源コードを挿通させるとともに、チューブ内の電源コードに沿って発光ダイオード等の光源を互いに間隔を有して挿入配置し、電源コードから供給される電源により光源を点滅させるものであり、伸ばした状態で例えば道路の工事現場などに所定間隔で配置した複数の支柱に順次、掛止するなどの手段により延設させて使用するものである。
【０００５】
このように構成される従来の工事用ロープは、コーンなどのように単独で設置される標示体を多数配置する場合に比べて設置並びに保管が簡単で安価に提供できるので比較的長い距離にわたる工事区間などに用いられている。また、コード状であることから巻回させた状態で運搬ならびに保管することができるのできわめて便利である。
【０００６】
ところが、現在使用されている前記公報に提示されているような工事用ロープは、１〜数ｃｍ程度の内径を有するものであり、全体として発光ダイオードなどの単光源がロープの長さ方向に配列したものであり、径方向、つまり幅方向には並ばないので視認性が悪いという問題がある。
【０００７】
また、通常、巻回した状態で保管、運搬することになるが、単に巻回しただけの状態では解けてしまうので紐などの結束具を用いて束ねておかねばならず、取り扱いが不便であるばかりか、チューブは可撓性を有するとはいっても、適度の剛性を必要とすることから、巻いたときに嵩張ることになり、更に、寒冷地においては冬季にチューブが凍結したりするので曲げにくく取り扱いが容易でない、という問題もある。
【特許文献１】実開昭６３−８８８９０号公報
【特許文献１】特開平６−１０３２０号公報
【発明の開示】
【発明が解決しようとする課題】
【０００８】
本発明が解決しようとする課題は、従来使用されている工事用ロープと呼ばれている長尺の発光標示体に代わって視認性並びに取り扱いに優れた長尺の発光標示体を提供するものである。
【課題を解決するための手段】
【０００９】
前記課題を解決するためになされた本発明は、複数の発光ダイオードが並設してなる列状光源が長尺のシート状を呈する帯体に長さ方向に間隔を有して具備されているとともに、前記帯体に長さ方向の両端にわたって前記列状光源に電源を供給するための電源コードが配設されており、且つ前記帯体の電源コードと列状光源との間に前記列状光源を点滅させる制御部が備えられていることを特徴とする。
【００１０】
また、本発明において、前記帯体を再帰反射材により形成すること、前記帯体の長さ方向の両端縁または幅方向の両端縁の少なくとも一方に互いに取り外し可能な係着具が設けられているとともに前記電源コードの一端に防水電源プラグが接続され、もう一端に前記電源プラグが差し込み可能な防水コネクタプラグがそれぞれ具備すること、前記帯体が２枚のシートを重ね合わせて形成されていること、前記列状光源を形成する発光ダイオードが可撓性基板に設置されていること、前記各列状光源全体または各列状光源を形成する各発光ダイオードの少なくとも一方が順次点滅させる手段もとることができる。
【発明の効果】
【００１１】
本発明によれば、長尺のシート状を呈する帯体に長さ方向に間隔を有して複数の発光ダイオードが並設してなる列状光源が具備されているので、即ち、帯体の幅方向にも発光ダイオードを並べることができることから、きわめて優れた視認性を発揮することができ、特に、従来視認性が問題とされていた高速で走行する車両に乗っているような場合にも確実に発光状態を確認することができる。
【００１２】
また、帯体には長さ方向の両端にわたって前記列状光源に電源を供給するための電源コードが配設されており、且つ前記帯体の電源コードと列状光源との間に前記各列状光源を点滅させる制御部が備えられていることにより、前記各列状光源を個別に制御することが可能であり、光源の点滅を制御するための複雑なプログラムやリレーのような高価な機器も不要である。特に、全体が帯状のシートにより形成されているので不使用時に折り畳んで或いは巻回した状態とすることにより平面矩形状に折り畳めるので従来のコード状の物に比べて保管並びに運搬にも適している。
【００１３】
更に、 前記帯体が再帰反射材により形成されている場合には、列状発光体だけでなく帯体全体が光を反射するので反射式の標示体としての機能も有し、安全性が高まるとともに発光体を点灯させない昼間の時間帯にも視認性を確保することができる。
【００１４】
更にまた、前記帯体の長さ方向の両端縁または幅方向の両端縁の少なくとも一方に互いに着脱自由な係着具が設けられているとともに電源コードの一端に防水電源プラグが接続され、もう一端に前記電源プラグが差し込み可能な防水コネクタプラグがそれぞれ具備されている場合には、複数の本発明である発光標示体を長さ方向或いは幅方向、更には長さと幅方向に繋ぎ合わせて長さを伸ばしたり幅を広げることもできる。
【００１５】
更にまた、前記帯体が２枚のシートを重ね合わせて形成されている場合には両面を使用することができるばかりか、互いに重ねたシートの間に列状光源や電源コードを挟み固定することにより外部から見えないように収装することができるので体裁が良くデザイン的にも優れた物となる他シートを密に接着することで防水性を付与することもできる。加えて、前記列状光源を形成する発光ダイオードが可撓性基板に設置されている場合にはよりフレキシブルな扱いが可能になり、前記各列状光源全体または各列状光源を形成する各発光ダイオードの少なくとも一方が順次点滅する構成とすることにより、点滅効果による視認性を一段と向上させることができる。
【発明を実施するための最良の形態】
【００１６】
次に、本発明を実施するための最良の形態について図面を参照して説明する。      
【００１７】
図１乃至図４は本発明の実施の形態の一例を示すものであり、発光標示体１は、全体が幅１０ｃｍ、長さが５ｍまたは１０ｍ程度の長尺のシート状を呈する帯体２に複数の発光ダイオード３１が並設してなる列状光源３が帯体２の長さ方向に間隔を有して具備されている。
【００１８】
特に、本実施の形態では、帯体２はポリ塩化ビニルなどからなる表面シートを有する再帰反射材により形成されており、１枚の長尺シートを半分の幅に折って重ねた長さ方向に延びる両遊端および幅方向の両遊端を互いに接着テープ２１，２２，２２（または溶着、接着、縫着）等の手段により固着して袋状に形成され、本実施の形態では折り返し部の内側に沿って長さ方向の両端にわたって列状光源３に電源を供給するための電源コード４が配設されており、この電源コード４から各列状光源３に制御部（図示せず）を介して発光ダイオード３１を発光させる電源が供給されることになり、電源コード４の一端には防水電源プラグ４１が接続され、もう一端に前記電源プラグ４１が差し込み可能な防水コネクタプラグ４２がそれぞれ具備されている。
【００１９】
また、袋状に形成されている帯体２の内部には前記列状光源３が長さ方向に所定の間隔を有して配設されており、殊に、帯体２の列状光源３の設置位置は再帰反射材が切り取られて透明のナイロンなどのシートからなる透窓２３が密着形成されており、発光を外部へ投射可能にするとともに防水性を確保している。
【００２０】
尚、列状光源３は発光ダイオードの並設方向が帯体２の幅方向になるようにしてあり、列状光源３および電源コード４などの内装品は、図３に示すように帯体２を折り曲げる前に所定の位置に配置しておくと製造し易い。
【００２１】
このような構成を有する本実施の形態である発光標示体１は、保管、運搬時には図４（ａ）に示すように長さ方向に交互に折り畳んだり、図４（ｂ）に示すように巻回させたりして保管。運搬する。このとき、発光標示体１はシート体により形成されているとともに長さ方向には柔軟な電源コード４だけが配設されているだけなので特に結束具などを用いなくても全体が薄い矩形状となって嵩張る心配がなく、きわめて便利であり、収納スペースも少なくて済む。発光ダイオード３１が可撓性基板に設置されている場合には更に違和感なくフレキシブル感が得られる（図示せず）。
【００２２】
そして、実際に使用するには、例えば、長さ方向に延びる縁に沿って所定の間隔で形成された鳩目５に例えばＳ字フックなどを係止して設置現場に所定間隔で配置した複数の支柱に順次、掛止するなどの手段により延設させて使用するものである。
【００２３】
本実施の形態によれば、帯体２の長さ方向に所定間隔で配置された列状光源３の発光ダイオード３１が帯体の幅方向に向かって配置されているので従来の長さ方向にだけ配置されている工事用ロープと異なりきわめて良好な視認性を確保することができる。殊に、各発光ダイオード３１が移動するように点滅する場合、更には各列状光源３が長さ方向に順次移動するように点滅される制御を合わせることより一層視認効果が高まる。加えて、帯体２が再帰反射材により形成されているので昼間でも幅広面としての反射効果が得られるとともに夜間においてはヘッドライトなどの照射により反射光を発するので列状光源３の点灯と相俟ってきわめて大きな視認効果を発揮させることができる。
【００２４】
尚、本実施の形態は、列状光源３を帯体２の両面に配設した構成としたので表裏を問わずに使用することができるばかりか例えば、工事現場の両側を人や車両が通行するような場合には１枚の発光標示体１を用いれば済むなど経済的でもあり、必要に応じて片側だけを点滅させる構成（図示せず）にすれば経済的でもある。
【００２５】
図５および図６は本発明の異なる実施の形態を示すものであり、全体の構成は前述の実施の形態とほぼ同様であるが、図５に示したものは帯体２の長さ方向の両端縁に例えば面ファスナーのような互いに着脱自由な係着具６，６が、図６に示したものは、幅方向の両端に互いに着脱自由な係着具７，７がそれぞれ敷設されており、前記係着具６，６または係着具７，７を用いて複数の発光標示体１，１を長さ方向、または幅方向に更には両方向に連結しすることにより距離や高さを有する設置現場に対応することができる。幅方向に連結した場合には視認性を高める殊もできる。尚、長さ方向に連結したときには互いに隣り合っている電源コード４の防水電源プラグ４１と防水コネクタプラグ４２とを接続して電源を確保することができる。
【００２６】
また、本実施の形態では電源コード４は前述の如く各列状光源３の電源と長さ方向へ配置される他の発光標示体１への電源を送電する働きをしているが、本発明では幅広の帯体２内に電源コードを収装することができるのでそれぞれ別途に複数本を収装させる構成であってもよい（図示せず）。
【００２７】
図７は本発明における列状光源３の異なる実施の形態を示すものであり、本発明では前記実施例で示した帯体２の軸線に対して直角に交叉するように発光ダイオード３１を並設したものに限らず、例えば帯体２の軸線に対して斜めに交叉するもの、或いは×形に形成したもの、更には多数の発光ダイオードを長さ方向と幅方向に並設したものなど帯体２の長さ方向の軸線に交叉する方向に発光ダイオードが並設されているものであればよい。
【００２８】
更に、図８は列状光源３を構成する発光ダイオード３１が帯体２の縦および横方向に向けて並べたものであり、列状光源３が幅広に形成されるので視認性が極めて良好であるとともに本実施例のように各種の形状に形成できるのでデザイン的にも優れたものが期待できる。
【００２９】
尚、本実施の形態では帯体２は２枚のシートを重ねたものとしたため体裁が良いが、使用されるのシートの重ね枚数や材質、厚さなどは特に限定されるものではなく、長尺の帯体２に発光ダイオードを並設した列状光源３長さ方向に所定の間隔を有して配置されていればよい。また、本実施の形態では、長さ方向に延びる縁に沿って所定の間隔で形成された鳩目５に例えばＳ字フックなどを係止して設置現場に所定間隔で配置した複数の支柱に順次、掛止するなどの手段により延設させて使用下場合を示したが、使用方法もこれに限定されるものでなく、紐などのような結束具により支柱等に括り付けり、面ファスナのような係着具により固定したりするなど他の使用方法も可能であることはいうまでもない。
【図面の簡単な説明】
【００３０】
【図１】本発明の実施の形態の一例を示す一部を切截した平面図。
【図２】図１のＡ−Ａ線に沿う断面拡大図。
【図３】図１に示した実施の形態についての製造手順の一部を示す説明図。
【図４】図１に示した実施の形態についての収納状態を示す側面図。
【図５】本発明の異なる実施の形態を示す説明図。
【図６】本発明の更に異なる実施の形態を示す説明図。
【図７】本発明の列状光源の実施例を示す説明図。
【図８】本発明の列状光源の異なる実施例を示す説明図。
【符号の説明】
【００３１】
１  発光標示体、  ２  帯体、  ３  列状光源、  ４電源コード、  ５  鳩目、  ６，６  係着く具、  ７，７  係着具、  ２３  透窓、  ３１  発光ダイオード、  ４１  防水電源プラグ、  ４２  防水コネクタプラグ
【図１】
2006028895.tif 000003
【図２】
2006028895.tif 000004
【図３】
2006028895.tif 000005
【図４】
2006028895.tif 000006
【図５】
2006028895.tif 000007
【図６】
2006028895.tif 000008
【図７】
2006028895.tif 000009
【図８】
2006028895.tif 000010